(57)【特許請求の範囲】
【請求項１】
電子機器に組み込まれ、外部機器と電磁界信号を介して通信するアンテナ装置であって、
その開口部を介して幅方向に対向する導線が互いに近接するように巻回して設けられ、長手方向に前記開口部を縦断する中心線を介して前記導線が一方向に周回する一方側部と前記導線が他方向に周回する他方側部に二分され、前記外部機器と誘導結合されるアンテナコイルと、開口部を有する前記電子機器のカバーとを備え、
前記カバーは磁気シールド機能を有し、該カバーに設けられた開口部内に、前記アンテナコイルが、前記カバーと互いに重畳することなく、かつ、前記一方側部側の前記カバーの開口部の面積よりも前記他方側部側の前記カバーの開口部の面積の方が広くなるように配置され、
前記アンテナコイルは前記導線を長手方向に細長い略短冊形状に巻回して設けられ、
前記電子機器の前記カバーに設けられた開口部の面中心が前記アンテナコイルの開口部内に位置しないことを特徴とするアンテナ装置。
【請求項２】
前記アンテナコイルは、前記一方側部が前記カバーの開口部の端部に近接して配置される請求項１に記載のアンテナ装置。
【請求項３】
前記アンテナコイルの開口部に前記外部機器から発信される磁界を引き込む磁性シートが差し込まれ、
前記アンテナコイルの前記一方側部では前記磁性シートが該アンテナコイルよりも前記外部機器側に配置され、前記アンテナコイルの前記他方側部では該アンテナコイルが前記磁性シートよりも前記外部機器側に配置されて、前記アンテナコイルと前記磁性シートとが互いに重畳されている請求項１又は請求項２に記載のアンテナ装置。
【請求項４】
前記他方側部側の前記カバーの開口部にも磁性シートが配置されている請求項３に記載のアンテナ装置。
【請求項５】
前記カバーと重畳又は接触するとともに、前記アンテナコイルの前記外部機器と対向する面と反対側の面と、少なくとも一部が重畳するシート状の導電体を備える請求項１乃至請求項４のいずれか１項に記載のアンテナ装置。
【請求項６】
請求項１乃至請求項５のいずれか１項に記載のアンテナ装置が組み込まれ、外部機器と電磁界信号を介して通信可能な電子機器。
【発明の詳細な説明】
【技術分野】
【０００１】
本発明は、ノートパソコン等の電子機器に搭載され、発信器等の外部機器と電磁界信号を介して通信するアンテナ装置、及びこのアンテナ装置が組み込まれた電子機器に関する。
【背景技術】
【０００２】
近年、ノートパソコン等の電子機器にＲＦＩＤ（radio frequency identification）等のアンテナ機能を搭載し、スマートフォン等の外部機器との間で通信可能とする技術が開発されている。しかしながら、小型薄型化が進むノートパソコンでは、筐体を金属製とすることが多く、電波を遮蔽してしまうので、アンテナの通信性能を確保することが難しかった。
【０００３】
そこで、金属板の開口部にアンテナモジュールの少なくとも一部が露出するようにすることで、通信可能とするものが提案されている。
【０００４】
例えば特許文献１には、金属部材がアンテナコイルの一部を覆うように配置され、金属部材は外周につながらない開口を備えていて、金属部材の開口に対して垂直方向に視て、アンテナコイルの第１部分は金属部材の開口から露出せず、アンテナコイルの第２部分及びコイル開口部の少なくとも一部は金属部材の開口から露出していることを特徴とするアンテナ装置が記載されている。
【０００５】
また、特許文献２には、電子機器に組み込まれ、外部機器と電磁界信号を介して通信するアンテナ装置であって、電子機器の磁気シールド機能を有するカバーに設けられた開口部の端部に位置させて、カバーの内壁面に配置したアンテナコイルを備えることを特徴とするアンテナ装置が記載されている。
【先行技術文献】
【特許文献】
【０００６】
【特許文献１】特許第５６７３８５４号公報
【特許文献２】特開２０１５−９５７０７号公報
【発明の概要】
【発明が解決しようとする課題】
【０００７】
ノートパソコン等の電子機器の小型化、高機能化による部品点数の増大等に伴い、電子機器筐体内において、上述のようなアンテナ装置を搭載するのに割り当てられるスペースは小さくなってきている。そこで、十分な通信性能を確保した状態でＲＦＩＤ用のアンテナ装置を狭小化されたスペースに搭載するために、アンテナ装置の薄型化の要求が強まっている。
【０００８】
特許文献１及び２では、アンテナコイルの一部が開口部周りの金属板と重畳する態様であるため重畳している分だけ厚みが増している。したがって、この点に関するアンテナ装置の薄型化については記載されていない。
【０００９】
本発明は、このような実情に鑑みて提案されたものであり、十分な通信性能を確保した状態で薄型化を実現できる、新規かつ改良されたアンテナ装置、及び電子機器を提供することを目的とする。
【課題を解決するための手段】
【００１０】
本発明の一態様は、電子機器に組み込まれ、外部機器と電磁界信号を介して通信するアンテナ装置であって、その開口部を介して幅方向に対向する導線が互いに近接するように巻回して設けられ、長手方向に開口部を縦断する中心線を介して導線が一方向に周回する一方側部と導線が他方向に周回する他方側部に二分され、外部機器と誘導結合されるアンテナコイルと、開口部を有する電子機器のカバーとを備え、カバーは磁気シールド機能を有し、カバーに設けられた開口部内に、アンテナコイルが、カバーと互いに重畳することなく、かつ、一方側部側のカバーの開口部の面積よりも他方側部側のカバーの開口部の面積の方が広くなるように配置され、アンテナコイルは導線を長手方向に細長い略短冊形状に巻回して設けられ、電子機器のカバーに設けられた開口部の面中心がアンテナコイルの開口部内に位置しない。
【００１１】
本発明の一態様によれば、電子機器のカバーに設けられた開口部内にアンテナコイルを配置することにより、アンテナコイルとカバーが重畳することがないため、アンテナ装置の薄型化を実現でき、アンテナコイルの他方側部側に広く開口部をとることでアンテナ装置の磁場が十分に空間に広がり通信性能を確保することができる。
【００１２】
このとき、本発明の一態様では、アンテナコイルは、一方側部がカバーの開口部の端部に近接して配置されるようにしてもよい。
【００１３】
このように配置することで、他方側部側のカバーの開口部を最も広くとることができるため、良好な通信性能を確保することができる。
【００１４】
また、本発明の一態様では、アンテナコイルの開口部に外部機器から発信される磁界を引き込む磁性シートが差し込まれ、アンテナコイルの一方側部では磁性シートがアンテナコイルよりも外部機器側に配置され、アンテナコイルの他方側部ではアンテナコイルが磁性シートよりも外部機器側に配置されて、アンテナコイルと磁性シートとが互いに重畳されるようにしてもよい。
【００１５】
このようにすれば、磁性シートによって、外部機器からの磁束を集めて、アンテナコイルの中心部に誘導するので、アンテナ装置の通信特性を高められる。
【００１６】
このとき、本発明の一態様では、他方側部側のカバーの開口部にも磁性シートが配置されるようにしてもよい。
【００１７】
これにより、さらに磁束を集めることができるため、よりアンテナ装置の通信特性が高まる。
【００１８】
また、本発明の一態様では、カバーと重畳又は接触するとともに、アンテナコイルの外部機器と対向する面と反対側の面と、少なくとも一部が重畳するシート状の導電体を備えるようにしてもよい。
【００１９】
これにより、磁界のシールド効果を利用してアンテナ装置の通信特性を高めることができる。
【００２０】
また、本発明の他の態様は、上述の何れかに記載のアンテナ装置が組み込まれ、外部機器と電磁界信号を介して通信可能な電子機器である。
【００２１】
本発明の他の態様によれば、上述したアンテナ装置を備えることで、十分な通信性能を確保した状態で薄型化を実現可能な電子機器とすることができる。
【発明の効果】
【００２２】
以上説明したように本発明によれば、電子機器のカバーに設けられた開口部内にアンテナコイルを配置し、一方側に十分な面積の開口部を有することで十分な通信性能を確保した状態で薄型化を実現できるアンテナ装置、及び電子機器を提供することができる。
【図面の簡単な説明】
【００２３】
【図１】本発明の一実施形態に係るアンテナ装置を搭載したパーソナルコンピュータの外観を示す斜視図である。
【図２】本発明の一実施形態に係るアンテナ装置の概略構成を示す平面図である。
【図３】（Ａ）は、本発明の一実施形態に係るアンテナ装置の斜視図であり、（Ｂ）は、（Ａ）のＡ−Ａ断面図である。
【図４】（Ａ）は、本発明の一実施形態に係るアンテナ装置の斜視図であり、（Ｂ）は、（Ａ）のＢ−Ｂ断面図である。
【図５】（Ａ）は、本発明の一実施形態に係るアンテナ装置の斜視図であり、（Ｂ）は、（Ａ）のＣ−Ｃ断面図である。
【図６】本発明の一実施形態に係るアンテナ装置の作用・効果を確認するための検討評価方法の説明図であり、（Ａ）は、斜視図であり、（Ｂ）は、平面図である。
【図７】比較例に係るアンテナ装置の作用・効果を確認するための検討評価方法を説明するための斜視図である。
【図８】参考例に係るアンテナ装置の作用・効果を確認するための検討評価方法を説明するための斜視図である。
【図９】実施例１〜３、比較例及び参考例に係るアンテナ装置の作用・効果を確認するための通信性能の評価結果を示すグラフである。
【発明を実施するための形態】
【００２４】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２５】
まず、本発明の一実施形態に係るアンテナ装置１００を適用した電子機器１の一例となるパーソナルコンピュータの構成について、図面を使用しながら説明する。図１は、本発明の一実施形態に係るアンテナ装置１００を搭載したパーソナルコンピュータの外観を示す斜視図である。
【００２６】
本発明の一実施形態に係るアンテナ装置１００は、電子機器１として主にラップトップ型のパーソナルコンピュータに適用される。電子機器１（パーソナルコンピュータ）は、本体２とディスプレー３を有し、本体２とディスプレー３は、ヒンジ等を介して結合されている。ディスプレー３は、通常平置きされる本体２に重ね合わされた状態（閉状態）から、ヒンジを支点として回転させられることにより可逆的に本体２に対して立った状態（開状態）になる。
【００２７】
ディスプレー３は、例えば、樹脂製のディスプレーハウジング４を有する。ディスプレーハウジング４は、扁平な箱形状をなし、例えば、Ａ４用紙と略等しい大きさを有する。ディスプレーハウジング４は、閉状態にあるときに本体２と対向する面（内面）を有し、ディスプレーハウジング４の内面には、略全域に渡る開口が形成されている。ディスプレーハウジング４の開口４ａには、例えば、液晶パネル５が表出している。
【００２８】
本体２は、扁平な箱形状のメインハウジング６を有する。閉状態のときにディスプレー３と対向するメインハウジング６の上面には、液晶パネル５に向かって見たとき奥側、すなわち、ヒンジ側に開口６ａが設けられ、この開口６ａ内にキーボード７が配置されている。なお、メインハウジング６の上面の大きさは、ディスプレーハウジング４の内面と略同一である。
【００２９】
また、メインハウジング６の上面には、キーボード７よりも手前の中央に開口部６ｂが形成されている。この開口部６ｂには、タッチパッド１０のフェイスシート１２が表出している。さらに、メインハウジング６の上面には、開口部６ｂよりも手前に開口部６ｃが形成され、この開口部６ｃには、２つの操作ボタン１４ａ、１４ｂがメインハウジング６の幅方向に並んで表出している。
【００３０】
本発明の一実施形態に係るアンテナ装置１００は、例えば、上述したようなラップトップ型のパーソナルコンピュータ（電子機器１）において、キーボード７やタッチパッド１０が配置されている開口６ａや開口部６ｂ、６ｃとは別に、メインハウジング６（磁気シールド機能を有するカバー１０１）上に開口部１０４を設け、開口部１０４内にアンテナコイル１０２を備えるものである。このような電子機器１のカバー１０１に設けられた開口部１０４内にアンテナコイル１０２をカバー１０１とは重畳しないように配置することで、電子機器の薄型化を実現することができる。なお、ここでいうカバー１０１は、例えば、金属製であって磁気シールド機能を有するものをいう。また、アンテナ装置１００が組み込まれた電子機器１は、例えば、磁気シールド機能を有さない部材で覆うことで、開口部１０４を有するアンテナ装置１００が外部に露出しないようにすることが好ましい。
【００３１】
また、本発明の一実施形態に係るアンテナ装置１００が組み込まれた電子機器１は、ラップトップ型のパーソナルコンピュータに限定されず、アンテナ装置１００を配置することができるスペースがあるものであればよく、例えば、テレビや冷蔵庫などの他の電子機器にも適用可能である。また、本発明の一実施形態に係るアンテナ装置１００は、配置するための開口部１０４をカバー１０１上に設けてもよいが、例えば、電気機器１の構造上すでに開けられている開口部を利用してもよい。
【００３２】
次に、本発明の一実施形態に係るアンテナ装置１００について、図面を使用しながらさらに詳しく説明する。図２は、本発明の一実施形態に係るアンテナ装置１００の平面図である。
【００３３】
本発明の一実施形態に係るアンテナ装置１００は、電子機器１に組み込まれ、外部機器と電磁界信号を介して通信するアンテナ装置１００であって、その開口部１０２ｂを介して幅方向に対向する導線１０２ａが互いに近接するように巻回して設けられ、長手方向に開口部１０２ｂを縦断する中心線Ｌを介して導線１０２ａが一方向に周回する一方側部１０３ａと導線が他方向に周回する他方側部１０３ｂに二分され、外部機器と誘導結合されるアンテナコイル１０２と、開口部１０４を有する電子機器１のカバー１０１とを備える。そして、カバー１０１は磁気シールド機能を有し、カバー１０１に設けられた開口部１０４内に、アンテナコイル１０２が、カバー１０１と互いに重畳することなく、かつ、一方側部１０３ａ側のカバー１０１の開口部１０４ａの面積Ｓａよりも他方側部１０３ｂ側のカバー１０１の開口部１０４ｂの面積Ｓｂの方が広くなるように配置される。
【００３４】
このように、電子機器１のカバー１０１に設けられた開口部内１０４にアンテナコイル１０２を配置することにより、アンテナコイル１０２とカバー１０１が重畳することがないため、アンテナ装置１００の薄型化を実現でき、アンテナコイル１０２の他方側部１０３ｂ側に広く開口部１０４ｂをとることでアンテナ装置１００の磁場が十分に空間に広がり良好な通信性能を確保することができる。
【００３５】
アンテナ装置１００は、図２に示すように、その開口部１０２ｂを介して幅方向に対向する導線１０２ａが互いに近接するように巻回して設けられ、外部機器１１９（図３（Ｂ）参照）と誘導結合されるアンテナコイル１０２を備える。アンテナコイル１０２は、例えば、可撓性のあるフレキシブル基板等によって構成されるアンテナ基板の一面に、可撓性のある導線１０２ａをパターニング処理することによって形成される。
【００３６】
本実施形態では、アンテナコイル１０２は、限られた狭いスペースにおいて有効に実装するため、導線１０２ａを長手方向に細長い略短冊形状に巻回して設けられる構成となっていることが好ましい。また、アンテナの磁場を空間に広げるため、アンテナコイル１０２は、一方側部１０３ａ側のカバーの開口部１０４ａの面積Ｓａよりも他方側部１０３ｂ側のカバー１０１の開口部１０４ｂの面積Ｓｂの方が広くなるように配置される。特に、アンテナコイル１０２は、一方側部１０３ａがカバー１０１の開口部１０４の端部１０１ａに近接又は接するようにして配置されるようにすることが好ましい。このように配置することで、他方側部１０３ｂ側のカバー１０１の開口部１０４ｂを最も広くとることができるため、良好な通信性能を確保することができる。なお、ここで近接して配置するとは、カバー１０１の開口部の一端１０１ａからアンテナコイル１０２の一方側部１０３ａの外縁までの距離がアンテナコイル１０２の短辺の長さの１／１０以下（例えば、コイル外形が５０ｍｍ×１２．５ｍｍの場合は、１．２５ｍｍ以下）となるように配置することとする。
【００３７】
なお、ここで一方側部１０３ａ側のカバー１０１の開口部１０４ａの面積Ｓａとは、カバー１０１の開口部の一端１０１ａからアンテナコイル１０２の一方側部１０３ａの外縁までの間に占める開口部１０４ａの面積Ｓａを言い、他方側部１０３ｂ側のカバー１０１の開口部１０４ｂの面積Ｓｂとは、カバー１０１の開口部の他端１０１ｂからアンテナコイル１０２の他方側部１０３ｂの外縁までの間に占める開口部１０４ｂの面積Ｓｂを言う。アンテナコイル１０２の一方側部１０３ａがカバー１０１の開口部の端部１０１ａに接する場合には、一方側部１０３ａ側のカバー１０１の開口部１０４ａの面積Ｓａはほぼ０となる。
【００３８】
また、アンテナコイル１０２をカバー１０１の開口部の一端１０１ａに近接して配置した場合、通信するための外部機器の位置はアンテナコイル１０２が配置されている位置よりもカバー１０１がある側にずれる。（すなわち、図２におけるアンテナコイル１０２よりも左側のカバー１０１側にずれる。）したがって、電子機器のカバー１０１上に開口部１０４を設ける場合、アンテナコイル１０２を配置する側のカバーの面積が多く残るように開口部１０４を設けることが望ましい。
【００３９】
開口部１０４の面積は特に限定されないが、開口部１０４内にアンテナコイル１０２を配置することから、少なくともアンテナコイル１０２の面積以上の開口部１０４が必要である。開口部１０４の面積は大きいほど良いが、開口部１０４を設けることができる電子機器１のカバー１０１のスペースとの関係で決定される。一例として、開口部１０４の一辺がアンテナコイル１０２の長辺と略同じかそれ以上の大きさであればよい。
【００４０】
本発明の一実施形態に係るアンテナ装置１１０は、アンテナコイル１１２の開口部１１２ｂに外部機器１１９から発信される磁界を引き込む磁性シート１１５が差し込まれる構成としてもよい。図３（Ａ）は、本発明の一実施形態に係るアンテナ装置の斜視図であり、図３（Ｂ）は、図３（Ａ）のＡ−Ａ断面図である。
【００４１】
図３（Ａ）、（Ｂ）に示すように、アンテナ装置１１０では、アンテナコイル１１２の一方側部１１３ａでは磁性シート１１５がアンテナコイル１１２よりも外部機器１１９側に配置され、アンテナコイル１１２の他方側部１１３ｂではアンテナコイル１１２が磁性シート１１５よりも外部機器１１９側に配置されるように、アンテナコイル１１２の開口部１１２ｂに磁性シート１１５が差し込まれ、アンテナコイル１１２と磁性シート１１５とが互いに重畳されている。
【００４２】
磁性シート１１５は、酸化鉄や酸化クロム、コバルト、フェライト等の磁性体から形成され、アンテナ装置１１０の通信特性を高めるために、当該アンテナ装置１１０の通信時に外部機器１１９から送られる磁束をアンテナコイル１１２の中心側に向けて誘導する機能を有する。
【００４３】
このようにして、本発明の一実施形態に係るアンテナ装置１１０は、一方側部１１３ａ側では、磁性シート１１５がアンテナコイル１１２よりも外部機器１１９側に位置するように配置され、他方側部１１３ｂ側ではアンテナコイル１１２が外部機器１１９側に位置するように配置されることで、外部機器１１９からの磁束を集めて、アンテナコイル１１２の中心側に誘導して、アンテナ装置１１０の通信特性を高めるようにしている。すなわち、外部機器１１９からの磁束は、磁性シート１１５に沿ってアンテナコイル１１２の開口部１１２ｂを通り、アンテナコイル１１２の他方側部１１３ｂ側のカバー１１１の開口部１１４ｂから外部機器１１９に抜けることで、ループを形成することが出来るので、通信可能となる。さらに、本発明の一態様では、図３（Ｂ）に示すように、アンテナコイル１１２や磁性シート１１５はカバー１１１とは重畳することがないため、アンテナ装置１１０の薄型化を実現することができる。
【００４４】
本発明に係るアンテナ装置１２０の他の実施形態に関し、図４（Ａ）は、本発明の一実施形態に係るアンテナ装置の斜視図であり、図４（Ｂ）は、図４（Ａ）のＢ−Ｂ断面図である。本発明の一態様では、図４（Ａ）、（Ｂ）に示すように、他方側部１２３ｂ側のカバー１２１の開口部１２４ｂにも磁性シート１２６が配置されるようにしてもよい。これにより、さらに磁束を集めることができるため、よりアンテナ装置１２０の通信特性が高まる。
【００４５】
なお、図４（Ｂ）においては、アンテナコイル１２２に差し込まれた磁性シート１２５と他方側部１２３ｂ側のカバー１２１の開口部１２４ｂに配置された磁性シート１２６はそれぞれ別のものとなっているが、例えば、２つの磁性シートが合わさった長尺状の１枚の磁性シートをアンテナコイル１２２の開口部１２２ｂに差し込んで配置してもよい。
【００４６】
本発明に係るアンテナ装置１３０の他の実施形態に関し、図５（Ａ）は、本発明の一実施形態に係るアンテナ装置１３０の斜視図であり、図５（Ｂ）は、図５（Ａ）のＣ−Ｃ断面図である。本発明の一態様では、図５（Ａ）、（Ｂ）に示すように、カバー１３１と重畳又は接触するとともに、アンテナコイル１３２の外部機器１３９と対向する面と反対側の面と、少なくとも一部が重畳するシート状の導電体（導電性シート）１３７を備えるようにしてもよい。導電性シート１３７としては銅やアルミ箔等が挙げられる。このように、導電性シート１３７を設けることによって、導電性シート１３７による磁界のシールド効果を利用して、アンテナ装置１３０の通信特性を高めることができる。
【００４７】
また、本発明に係るアンテナ装置１３０のように、シート状の導電体１３７を備える場合には、カバー１３１の開口部１３４は矩形状でなくてもよい。例えば、カバーの開口部が多角形状や円形状の場合であっても、その端部に（矩形状の）導電シート１３７を配置することで、開口部１３４の端部を直線状にすることができるからである。
【００４８】
以上説明したように、本発明が適用されたアンテナ装置、及び当該アンテナ装置が組み込まれた電子機器では、電子機器のカバーに設けられた開口部内にアンテナコイルを配置し、アンテナコイルの他方側部側の開口部を広く設けることで、良好な通信特性を維持しつつ、電子機器の筐体の薄型化を図ることができる。
【実施例】
【００４９】
次に、本発明の各実施形態に係るアンテナ装置の検討評価の実施例について、図面を使用しながら説明する。なお、本発明は、本実施例に限定されるものではない。
【００５０】
以下に説明する、実施例１〜３、比較例、及び、参考例にかかるアンテナ装置について、通信特性の評価を行った。図６は、本発明の一実施形態に係るアンテナ装置１４０の作用・効果を確認するための評価方法の説明図であり、（Ａ）は、斜視図であり、（Ｂ）は、平面図である。通信特性は通信機１４８（NFC Forumの定めるListener-1）との結合係数を４０ｍｍの距離で評価し、通信機（Listener-1）をＸ軸方向に移動して通信特性の分布を評価した。
【００５１】
（実施例１）
実施例１では、コイル外形が５０ｍｍ×１２．５ｍｍで４ターンのアンテナコイル１４２を用い、アンテナコイル１４２の開口部１４２ｂには厚さ０．２ｍｍのフェライト（磁性シート１４５）を挿入した。磁性シート１４５が挿入されたアンテナコイル１４２を、外形１００ｍｍ×１００ｍｍで中央部に５０ｍｍ×５０ｍｍの開口部１４４を有するＳＵＳ板１４１に、アンテナコイル１４２の長辺がＳＵＳ板１４１に設けた開口部１４４の一辺１４１ａに沿うように配置しアンテナ装置１４０とした。図６に示すように、実施例１にかかるアンテナ装置１４０と通信機１４８とを４０ｍｍの距離に配置し、通信機をＸ軸方向（すなわち、図６（Ｂ）の矢印ＡＲの方向）に移動して相対的な位置関係を変化させたときの通信特性（結合係数ｋ）について評価した。
【００５２】
（実施例２）
実施例２では、実施例１に係るアンテナ装置において、アンテナコイルの通信機と対向する面とは反対側の面に５０ｍｍ×１０ｍｍのアルミ箔をＳＵＳ板及びアンテナコイルと接するように設けたこと以外は、実施例１と同様のアンテナ装置について同様に通信機をＸ軸方向に移動して相対的な位置関係を変化させたときの通信特性（結合係数ｋ）について評価した。
【００５３】
（実施例３）
実施例３では、実施例２に係るアンテナ装置において、ＳＵＳ板のアンテナコイル以外の開口部にもフェライト（磁性シート）を配置したこと以外は、実施例２と同様のアンテナ装置について同様に通信機をＸ軸方向に移動して相対的な位置関係を変化させたときの通信特性（結合係数ｋ）について評価した。
【００５４】
（比較例）
図７は、比較例に係るアンテナ装置の作用・効果を確認するための検討評価方法を説明するための斜視図である。比較例では、コイル外形が２５ｍｍ×２５ｍｍで４ターンの正方形のアンテナコイル１５２を用い、アンテナコイル１５２の裏面には厚さ０．２ｍｍのフェライト（磁性シート１５５）を貼り付けた。磁性シート１５５が裏面に貼り付けられたアンテナコイル１５２を、外形１００ｍｍ×１００ｍｍで中央部に５０ｍｍ×５０ｍｍの開口部１５４を有するＳＵＳ板１５１に、アンテナコイル１５２の中央とＳＵＳ板１５１の開口部１５４の中央が一致するように配置しアンテナ装置１５０とした。図７に示すように、比較例に係るアンテナ装置１５０と通信機１５８とを４０ｍｍの距離に配置し、通信機１５８をＸ軸方向に移動して相対的な位置関係を変化させたときの通信特性（結合係数ｋ）について評価した。
【００５５】
（参考例）
図８は、参考例に係るアンテナ装置１６０の作用・効果を確認するための検討評価方法を説明するための斜視図である。参考例（Benchmark）では、コイル外形が２５ｍｍ×２５ｍｍで４ターンの正方形のアンテナコイル１６２を用い、アンテナコイル１６２の裏面には厚さ０．２ｍｍのフェライト（磁性シート１６５）を貼り付けたもののみを用い、周囲にＳＵＳ板を配置しないものをアンテナ装置１６０とした。図８に示すように、参考例に係るアンテナ装置１６０と通信機１６８とを４０ｍｍの距離に配置し、通信機１６８をＸ軸方向に移動して相対的な位置関係を変化させたときの通信特性（結合係数ｋ）について評価した。
【００５６】
図９は、実施例１〜３、比較例及び参考例に係るアンテナ装置の作用・効果を確認するための通信性能の評価結果を示すグラフである。ベンチマークとしての参考例に対して、比較例のように、金属板の開口部に同じく正方形のNFCアンテナを実装した場合、たとえその開口の大きさをアンテナの４倍の面積にしても参考例（ベンチマーク）の６０％程度の性能回復が見込める程度であった。
【００５７】
これに対して、金属板の開口部の端部に長尺状のアンテナコイルを配置した実施例１では、比較例１よりも通信特性がよくなった。さらに、アンテナコイルにアルミ箔を設けた実施例２では、参考例（ベンチマーク）よりも良い通信特性を示した。また、アルミ箔を追加し、ＳＵＳ板の開口部にも磁性シートを配置した実施例３が最も良い通信特性を示した。
【００５８】
このように、本発明の一実施形態に係るアンテナ装置は、アンテナコイルの他方側部側に広く開口部をとることでアンテナ装置の磁場が十分に空間に広がり良好な通信性能を確保することができる。
【００５９】
なお、上記のように本発明の一実施形態及び各実施例について詳細に説明したが、本発明の新規事項及び効果から実体的に逸脱しない多くの変形が可能であることは、当業者には、容易に理解できるであろう。したがって、このような変形例は、全て本発明の範囲に含まれるものとする。
【００６０】
例えば、明細書又は図面において、少なくとも一度、より広義又は同義な異なる用語と共に記載された用語は、明細書又は図面のいかなる箇所においても、その異なる用語に置き換えることができる。また、アンテナ装置、及び電子機器の構成、動作も本発明の一実施形態及び各実施例で説明したものに限定されず、種々の変形実施が可能である。
【符号の説明】
【００６１】
１  電子機器、２  本体、３  ディスプレー、４  ディスプレーハウジング、４ａ  開口、５  液晶パネル、６  メインハウジング、６ａ  開口、６ｂ、６ｃ  開口部、７  キーボード、１０  タッチパッド、１２  フェイスシート、１４ａ、１４ｂ  操作ボタン、１００、１１０、１２０、１３０、１４０、１５０、１６０  アンテナ装置、１０１、１１１、１２１、１３１、１４１、１５１  カバー、１０１ａ、１１１ａ、１２１ａ、１３１ａ、１４１ａ  開口部の端部（一端）、１０１ｂ、１１１ｂ、１２１ｂ、１３１ｂ  開口部の端部（他端）、１０２、１１２、１２２、１３２、１４２、１５２、１６２  アンテナコイル、１０２ａ、１１２ａ、１２２ａ、１３２ａ  導線、１０２ｂ、１１２ｂ、１２２ｂ、１３２ｂ、１４２ｂ  （アンテナコイルの）開口部、１０３ａ、１１３ａ、１２３ａ、１３３ａ  一方側部、１０３ｂ、１１３ｂ、１２３ｂ、１３３ｂ  他方側部、１０４、１１４、１２４、１３４、１４４、１５４  （カバーの）開口部、１０４ａ  （一方側部側のカバーの）開口部、１０４ｂ、１１４ｂ、１２４ｂ、１３４ｂ  （他方側部側のカバーの）開口部、１１５、１２５、１２６、１３５、１４５、１５５、１６５  磁性シート、１３７  導電体（導電性シート）、１４８、１５８、１６８  通信機、１１９、１２９、１３９  外部機器、Ｌ  中心線、ＡＲ  矢印、Ｓａ  一方側部側のカバーの開口部の面積、Ｓｂ  他方側部側のカバーの開口部の面積
【図１】
0006727703.tif 000002
【図２】
0006727703.tif 000003
【図３】
0006727703.tif 000004
【図４】
0006727703.tif 000005
【図５】
0006727703.tif 000006
【図６】
0006727703.tif 000007
【図７】
0006727703.tif 000008
【図８】
0006727703.tif 000009
【図９】
0006727703.tif 000010